(57)【要約】      （修正有）【課題】幅方向よりも長手方向に長い被挟持体に好適な保持装置を提供する。【解決手段】保持装置１は、第１、第２の吸盤３、３’と、この第１、第２の吸盤３、３’に接続された第１、第２の支柱４、４’と、この第１、第２の支柱４、４’に接続され、第１、第２の支柱４、４’より側方に張り出す第１、第２の張り出し部材５、５’とを備え、第１、第２の支柱４、４’及び第１、第２の張り出し部材 ５、５’は、弾性変形可能な部材で形成され、被挟持体２の一方の側面を第１の張り出し部材５の裏面に、被挟持体２の他方の側面を第２の張り出し部材５’の裏面に、それ当接させて被挟持体２を挟持するものである。【選択図】図２
0003146364.tif 000002
【実用新案登録請求の範囲】
【請求項１】
第1の吸盤と、
この第1の吸盤に接続された第１の支柱と、
この第１の支柱に接続され、前記第１の支柱より側方に張り出す第1の張り出し部材と、
前記第１の支柱及び前記第1の張り出し部材は、弾性変形可能な部材で形成され、
第２の吸盤と、
この第２の吸盤に接続された第２の支柱と、
この第２の支柱に接続され、前記第２の支柱より側方に張り出す第２の張り出し部材と、
前記第２の支柱及び前記第２の張り出し部材は、弾性変形可能な部材で形成され、
前記第1の吸盤と前記第２の吸盤とは、壁面に離間して吸着し、
幅方向よりも長手方向に長い被挟持体の一方の側面を前記第1の張り出し部材の裏面に、前記被挟持体の他方の側面を前記第２の張り出し部材の裏面に、それ当接させると共に、該当接させる程度は、前記第１の支柱、前記第1の張り出し部材、前記第２の支柱及び前記第２の張り出し部材が弾性変形できる程度であり、該弾性変形を利用して、前記被挟持体を挟持する
ことを特徴と保持装置。
【請求項２】
第1の張り出し部及び第２の張り出し部が複数形成されている
ことを特徴とする請求項１記載の保持装置。
【請求項３】
ロール状のラップフィルム又はロール状のアルミはくを収納する略直方体形状の収納ケースと、
第1の吸盤と、
この第1の吸盤に接続された第１の支柱と、
この第１の支柱に接続され、前記第１の支柱より側方に張り出す第1の張り出し部材と、
前記第１の支柱及び前記第1の張り出し部材は、弾性変形可能な部材で形成され、
第２の吸盤と、
この第２の吸盤に接続された第２の支柱と、
この第２の支柱に接続され、前記第２の支柱より側方に張り出す第２の張り出し部材と、
前記第２の支柱及び前記第２の張り出し部材は、弾性変形可能な部材で形成され、
前記第1の吸盤と前記第２の吸盤とは、壁面に離間して吸着し、
前記第1の張り出し部材の裏面に前記収納ケースの一方の側面を、前記第２の張り出し部材の裏面に前記収納ケースの他方の側面を、それ当接させると共に、該当接させる程度は、前記第１の支柱、前記第1の張り出し部材、前記第２の支柱及び前記第２の張り出し部材が弾性変形できる程度であり、該弾性変形を利用して、前記収納ケースを挟持する
ことを特徴と保持装置。
【考案の詳細な説明】
【技術分野】
【０００１】
本考案は、保持装置に係り、特に、幅方向よりも長手方向に長い被挟持体に好適な保持装置に関する。
【背景技術】
【０００２】
幅方向よりも長手方向に長いもの、例えば、ロール状のラップフィルム又はロール状のアルミはくを収納する略直方体形状の収納ケースがある。
【０００３】
しかしながら、略直方体形状の収納ケースにあっては、台所の適宜の場所に載置するだけで、例えば、壁面に保持されることができず、使用勝手の点で、良好でないという問題点がある。
【考案の開示】
【考案が解決しようとする課題】
【０００４】
本考案は、上記問題点を除去するようにした保持装置を提供することを目的としている。
【課題を解決するための手段】
【０００５】
前記した目的を達成するための本考案の保持装置は、第1の吸盤と、この第1の吸盤に接続された第１の支柱と、この第１の支柱に接続され、前記第１の支柱より側方に張り出す第1の張り出し部材と、前記第１の支柱及び前記第1の張り出し部材は、弾性変形可能な部材で形成され、第２の吸盤と、この第２の吸盤に接続された第２の支柱と、この第２の支柱に接続され、前記第２の支柱より側方に張り出す第２の張り出し部材と、 前記第２の支柱及び前記第２の張り出し部材は、弾性変形可能な部材で形成され、前記第1の吸盤と前記第２の吸盤とは、壁面に離間して吸着し、幅方向よりも長手方向に長い被挟持体の一方の側面を前記第1の張り出し部材の裏面に、前記被挟持体の他方の側面を前記第２の張り出し部材の裏面に、それ当接させると共に、該当接させる程度は、前記第１の支柱、前記第1の張り出し部材、前記第２の支柱及び前記第２の張り出し部材が弾性変形できる程度であり、該弾性変形を利用して、前記被挟持体を挟持するものである。
【０００６】
また、請求項２記載の保持装置は、請求項１記載の保持装置において、第1の張り出し部及び第２の張り出し部が複数形成されているものである。
【０００７】
また、請求項３記載の保持装置は、ロール状のラップフィルム又はロール状のアルミはくを収納する略直方体形状の収納ケースと、第1の吸盤と、この第1の吸盤に接続された第１の支柱と、この第１の支柱に接続され、前記第１の支柱より側方に張り出す第1の張り出し部材と、前記第１の支柱及び前記第1の張り出し部材は、弾性変形可能な部材で形成され、第２の吸盤と、この第２の吸盤に接続された第２の支柱と、この第２の支柱に接続され、前記第２の支柱より側方に張り出す第２の張り出し部材と、前記第２の支柱及び前記第２の張り出し部材は、弾性変形可能な部材で形成され、前記第1の吸盤と前記第２の吸盤とは、壁面に離間して吸着し、前記第1の張り出し部材の裏面に前記収納ケースの一方の側面を、前記第２の張り出し部材の裏面に前記収納ケースの他方の側面を、それ当接させると共に、該当接させる程度は、前記第１の支柱、前記第1の張り出し部材、前記第２の支柱及び前記第２の張り出し部材が弾性変形できる程度であり、該弾性変形を利用して、前記収納ケースを挟持するものである。
【考案の効果】
【０００８】
請求項１記載の保持装置によれば、被挟持体が長くなっても、また、短くなっても、第1の吸盤と第２の吸盤との間の距離を第1の吸盤及び第２の吸盤を介して容易に可変できるため、被挟持体の長さに応じて対応することができ、しかも、幅方向よりも長手方向に長い被挟持体の一方の側面を第1の張り出し部材の裏面に、被挟持体の他方の側面を前記第２の張り出し部材の裏面に、それ当接させると共に、該当接させる程度は、第１の支柱、第1の張り出し部材、第２の支柱及び第２の張り出し部材が弾性変形できる程度であり、該弾性変形を利用して、被挟持体を挟持するため、被挟持体を確実に保持することができる。
【０００９】
また、請求項２記載の保持装置によれば、上述した請求項１記載の考案の効果に加え、第1の張り出し部及び第２の張り出し部が複数形成されているため、複数の第1の張り出し部及び第２の張り出し部の裏面を被挟持体に当接させるため、安定して被挟持体を保持することができる。
【００１０】
また、請求項３記載の保持装置によれば、略直方体形状の収納ケースを壁面の適宜の位置に、第1の吸盤及び第２の吸盤を介して取り付けることができ、しかも、略直方体形状の収納ケースの一方の側面を第1の張り出し部材の裏面に、略直方体形状の収納ケースの他方の側面を第２の張り出し部材の裏面に、それ当接させると共に、該当接させる程度は、第１の支柱、第1の張り出し部材、第２の支柱及び第２の張り出し部材が弾性変形できる程度であり、該弾性変形を利用して、収納ケースを挟持するため、収納ケースを確実に保持することができ、更に、保持された収納ケースの蓋を開いて、収納ケースの内のフリーなロール状のラップフィルム又はロール状のアルミはく等を容易に取り出すことができ、使用勝手を向上させることができる。
【考案を実施するための最良の形態】
【００１１】
本考案の一実施例の保持装置を図面を参照して説明する。
図１〜図５において、１は保持装置で、保持装置１は、略直方体形状の収納ケース２を保持する装置である。
収納ケース２は、内部にロール状のラップフィルム又はロール状のアルミはく等を収納している。
【００１２】
３は第1の吸盤で、４は第1の吸盤３に接続された第１の支柱で、５は第１の支柱４に接続され、第１の支柱４より側方に張り出す第1の張り出し部材であり、第１の支柱４及び第1の張り出し部材５は、弾性変形可能な部材で形成され、第1の吸盤３、第１の支柱４及び第1の張り出し部材５で、保持装置１を構成する一方の部材Ａをなしている。
【００１３】
３’は第２の吸盤で、４’は第２の吸盤３’に接続された第２の支柱で、５’は第２の支柱４’に接続され、第２の支柱４’より側方に張り出す第２の張り出し部材であり、第２の支柱４’及び第２の張り出し部材５’は、弾性変形可能な部材で形成され、第２の吸盤３’、第２の支柱４’及び第２の張り出し部材５’で、保持装置１を構成する他方の部材Ｂをなしている。
【００１４】
第1の吸盤３と第２の吸盤３’とは、壁面Ｋに離間して吸着し、離間する距離は、収納ケース２の長さにより適宜調整される。そして、第1の張り出し部材５の裏面に収納ケース２の一方の側面２ａを、第２の張り出し部材５’の裏面に収納ケース２の他方の側面２ｂを、それ当接させる。
当接させる程度は、第１の支柱４、第1の張り出し部材５、第２の支柱４’及び第２の張り出し部材５’が変形する程度であり（図２参照）、保持装置１を構成する一方の部材Ａと保持装置１を構成する他方の部材Ｂとの距離を適宜設定することができる。
その結果、第１の支柱４、第1の張り出し部材５、第２の支柱４’及び第２の張り出し部材５’の弾性変形を利用して、収納ケース２を挟持することができる。
【００１５】
従って、上述した保持装置１によれば、略直方体形状の収納ケース２を壁面Ｋの適宜の位置に、第1の吸盤３及び第２の吸盤３’を介して取り付けることができ、しかも、略直方体形状の収納ケース２の一方の側面２ａを第1の張り出し部材５の裏面５ａに、略直方体形状の収納ケース２の他方の側面２ｂを第２の張り出し部材５’の裏面５’ａに、それ当接させると共に、該当接させる程度は、第１の支柱４、第1の張り出し部材５、第２の支柱４’及び第２の張り出し部材５’が弾性変形できる程度であり、該弾性変形を利用して、収納ケース２を挟持するため、収納ケース２を確実に保持することができ、更に、保持された収納ケース２の蓋（図示せず）を開いて、収納ケース２の内のフリーなロール状のラップフィルム（図示せず）又はロール状のアルミはく（図示せず）を容易に取り出すことができ、使用勝手を向上させることができる。
【００１６】
なお、上述した実施例においては、保持装置１の保持対象を「収納ケース２」としたが、本考案にあっては、これに限らず、「幅方向よりも長手方向に長い被挟持体」であれば、上述の実施例と同様に適用することができる。
「幅方向よりも長手方向に長い被挟持体」の場合、幅方向よりも長手方向に長い被挟持体の一方の側面を第1の張り出し部材５の裏面５ａに、前記被挟持体の他方の側面を第２の張り出し部材５’の裏面５’ａに、それ当接させると共に、該当接させる程度は、第１の支柱４、第1の張り出し部材５、第２の支柱４’及び第２の張り出し部材５’が弾性変形できる程度であり、該弾性変形を利用して、前記被挟持体を挟持することとなる。
【００１７】
この実施例によれば、被挟持体が長くなっても、また、短くなっても、第1の吸盤３と第２の吸盤３’との間の距離を容易に可変できるため、前記被挟持体の長さに応じて対応することができ、しかも、幅方向よりも長手方向に長い前記被挟持体の一方の側面を第1の張り出し部材５の裏面５ａに、前記被挟持体の他方の側面を第２の張り出し部材５’の裏面５’ａに、それ当接させると共に、該当接させる程度は、第１の支柱４、第1の張り出し部材５、第２の支柱４’及び第２の張り出し部材５’が弾性変形できる程度であり、該弾性変形を利用して、前記被挟持体を挟持するため、前記被挟持体を確実に保持することができる。
また、第1の張り出し部５及び第２の張り出し部５’が複数形成されているため、複数の第1の張り出し部５及び第２の張り出し部５’の裏面５ａ、５’ａを前記被挟持体に当接させるため、安定して前記被挟持体を保持することができる。
【００１８】
なお、被挟持体（収納ケース２）を挟持しない場合には、図６に示すように、複数の第1の張り出し部５（第２の張り出し部５’）を利用して、部材６、７を吊り下げることもできる。
【図面の簡単な説明】
【００１９】
【図１】図１は、本考案の一実施例の保持装置の概略的正面図である。
【図２】図２は、図１の概略的断面図である。
【図３】図２は、図１の保持装置を構成する部材の概略的正面図である。
【図４】図４は、図１の概略的右側面図である。
【図５】図５は、図３の５ー５線による概略的断面図である。
【図６】図６は、図１の保持装置を構成する部材の図1と異なる使用状態の概略的斜視図である。
【符号の説明】
【００２０】
１     …保持装置
２     …被挟持体（収納ケース）
２ａ   …一方の側面
２ｂ   …他方の側面
３     …第1の吸盤
３’   …第２の吸盤
４     …第1の支柱
４’   …第２の支柱
５     …第１の張り出し部材
５’   …第２の張り出し部材
【図１】
0003146364.tif 000003
【図２】
0003146364.tif 000004
【図３】
0003146364.tif 000005
【図４】
0003146364.tif 000006
【図５】
0003146364.tif 000007
【図６】
0003146364.tif 000008